(57)【要約】【課題】ＡＴＭセルの廃棄なく無瞬断で簡単に２重化ＡＴＭ装置を切替える。【解決手段】切替え直前に、下りＡＴＭセル送信切替制御部１４は現在送信している下りＡＴＭセルの送信を停止し、送信停止直前に送信した下りＡＴＭセルの最後に配置された切替セルを、現用系の０系ＡＴＭスイッチ装置２０ａに送る。切替セル検出部２５は切替セルを検出すると、ＡＴＭ切替指示を下りＡＴＭセル送信切替制御部１４に送る。下りＡＴＭセル送信切替制御部１４は、ＡＴＭ切替指示により０系ＡＴＭスイッチ装置２０ａを現用系から予備系に切替え、１系ＡＴＭスイッチ装置２０ｂを予備系から現用系に切替え、新たなる現用系の１系ＡＴＭスイッチ装置２０ｂに下りＡＴＭセルを送る。切替セルの送信から切替セルの検出までの期間で、滞留している全ての下りＡＴＭセルは０系ＡＴＭスイッチ装置２０ａから出力される。切替え時、ＡＴＭセルの廃棄は無い。【選択図】　　　図２
2004120375.tif 000002
【特許請求の範囲】
【請求項１】
ＡＴＭセルを入力して交換し出力する第１ＡＴＭスイッチ装置と第２ＡＴＭスイッチ装置とで２重化し、いずれかを現用系のＡＴＭスイッチ装置とし、もう一方を予備系のＡＴＭスイッチ装置として備え、
現用系のＡＴＭスイッチ装置を予備系に、予備系のＡＴＭスイッチ装置を現用系に切替えて、現用系のＡＴＭスイッチ装置にＡＴＭセルを送信する送信切替手段を有するインタフェース装置を、第１ＡＴＭスイッチ装置と第２ＡＴＭスイッチ装置との上流に備え、
現用系のＡＴＭスイッチ装置からのＡＴＭセルを受信して処理する信号受信処理装置を第１ＡＴＭスイッチ装置と第２ＡＴＭスイッチ装置との下流に備え、
前記送信切替手段は、系切替え直前に、現用系のＡＴＭスイッチ装置に送信しているＡＴＭセルの送信を停止し、現用系のＡＴＭスイッチ装置に既に送信されたＡＴＭセルの最後に、系切替えのための切替セルを配置して現用系のＡＴＭスイッチ装置に送信する手段を有し、
現用系のＡＴＭスイッチ装置は、前記送信切替手段からのＡＴＭセルを受信して交換して下流に備わる前記信号受信処理装置に送信するとともに、並行して、前記送信切替手段からのＡＴＭセルの最後に配置されている切替セルの到来を監視し、切替セルを検出すると、切替指示を前記送信切替手段に送る手段を有し、
前記送信切替手段は、さらに、現用系のＡＴＭスイッチ装置から切替指示を受けて、現用系のＡＴＭスイッチ装置を予備系にし、予備系のＡＴＭスイッチ装置を現用系にし、新たなる現用系のＡＴＭスイッチ装置にＡＴＭセルの送信を開始する手段を有することを特徴とするＡＴＭスイッチ装置の無瞬断切替方式。
【請求項２】
第１ＡＴＭスイッチ装置と第２ＡＴＭスイッチ装置とで２重化し、いずれかを現用系のＡＴＭスイッチ装置とし、もう一方を予備系のＡＴＭスイッチ装置として備え、
入力されるＡＴＭセルを受信して一時格納する受信セルバッファと、系切替えのための専用のＡＴＭセルである切替セルを生成する切替セル生成部と、現用系のＡＴＭスイッチ装置を予備系に、予備系のＡＴＭスイッチ装置を現用系に切替えて、現用系のＡＴＭスイッチ装置に前記受信セルバッファからのＡＴＭセルを送信する送信切替部とを有するインタフェース装置を第１ＡＴＭスイッチ装置と第２ＡＴＭスイッチ装置との上流に備え、
現用系のＡＴＭスイッチ装置からのＡＴＭセルを受信して処理する信号受信処理装置を第１ＡＴＭスイッチ装置と第２ＡＴＭスイッチ装置との下流に備え、
第１ＡＴＭスイッチ装置および第２ＡＴＭスイッチ装置と前記信号受信処理装置間をインタフェースするＵＴＯＰＩＡレベル２を備え、
第１ＡＴＭスイッチ装置と第２ＡＴＭスイッチ装置の各々は、ＡＴＭセルを格納するセルバッファを有し、このセルバッファにＡＴＭセルを書き込み、そして読み出すことでＡＴＭセルを交換し前記信号受信処理装置に出力するＡＴＭスイッチと、このセルバッファからＡＴＭセルを読み出すとき切替セルの到来を監視し、切替セルを検出して切替指示を前記送信切替部に送る切替セル検出部とを備え、
前記送信切替部は、系切替え直前に、前記受信セルバッファからＡＴＭセルの読み出しを中断し現用系のＡＴＭスイッチ装置に送信しているＡＴＭセルの送信を停止し、現用系のＡＴＭスイッチ装置に既に送信されたＡＴＭセルの最後に、前記切替セル生成部からの切替セルを配置して現用系のＡＴＭスイッチ装置に送信する手段を有し、
現用系のＡＴＭスイッチ装置の前記ＡＴＭスイッチは、前記送信切替部からのＡＴＭセルとこのＡＴＭセルの最後に配置されている切替セルとを、到来順番に、前記セルバッファに書き込み、交換処理をし、そして、この到来順番で、ＡＴＭセルと切替セルとを読み出し、読み出されたＡＴＭセルをＵＴＯＰＩＡレベル２経由で前記信号受信処理装置へ出力する手段を有し、現用系のＡＴＭスイッチ装置の前記切替セル検出部は、前記ＡＴＭスイッチが前記セルバッファから最後に読み出す切替セルを検出すると、切替指示を前記送信切替部に送る手段を有し、前記送信切替部は、さらに、現用系のＡＴＭスイッチ装置から切替指示を受けて、現用系のＡＴＭスイッチ装置を予備系にし、予備系のＡＴＭスイッチ装置を現用系にし、前記受信セルバッファからＡＴＭセルの読み出しを再開し、このＡＴＭセルを、新たなる現用系のＡＴＭスイッチ装置に送信を開始する手段を有することを特徴とするＡＴＭスイッチ装置の無瞬断切替方式。
【請求項３】
ＡＴＭセルを入力して交換し出力する第１ＡＴＭスイッチ装置と第２ＡＴＭスイッチ装置とで２重化し、いずれかを現用系のＡＴＭスイッチ装置とし、もう一方を予備系のＡＴＭスイッチ装置として備え、
現用系のＡＴＭスイッチ装置を予備系に、予備系のＡＴＭスイッチ装置を現用系に切替えて、現用系のＡＴＭスイッチ装置にＡＴＭセルを送信する送信切替手段を有するインタフェース装置を、第１ＡＴＭスイッチ装置と第２ＡＴＭスイッチ装置との上流に備え、
現用系のＡＴＭスイッチ装置からのＡＴＭセルを受信して処理する信号受信処理装置を第１ＡＴＭスイッチ装置と第２ＡＴＭスイッチ装置との下流に備え、
前記送信切替手段は、系切替え直前に、現用系のＡＴＭスイッチ装置に送信しているＡＴＭセルの送信を停止し、現用系のＡＴＭスイッチ装置に既に送信されたＡＴＭセルの最後に、系切替えのための切替セルを配置して現用系のＡＴＭスイッチ装置に送信する手段を有し、
現用系のＡＴＭスイッチ装置は、前記送信切替手段からのＡＴＭセルとＡＴＭセルの最後に配置されている切替セルを受信して交換して下流に備わる前記信号受信処理装置に送信する手段を有し、
前記信号受信処理装置は、現用系のＡＴＭスイッチ装置からのＡＴＭセルとＡＴＭセルの最後に配置されている切替セルの到来を監視し、切替セルを検出すると、切替指示を前記送信切替手段に送る手段を有し、
前記送信切替手段は、さらに、前記信号受信処理装置から切替指示を受けて、現用系のＡＴＭスイッチ装置を予備系にし、予備系のＡＴＭスイッチ装置を現用系にし、新たなる現用系のＡＴＭスイッチ装置にＡＴＭセルの送信を開始する手段を有することを特徴とするＡＴＭスイッチ装置の無瞬断切替方式。
【請求項４】
第１ＡＴＭスイッチ装置と第２ＡＴＭスイッチ装置とで２重化し、いずれかを現用系のＡＴＭスイッチ装置とし、もう一方を予備系のＡＴＭスイッチ装置として備え、
入力されるＡＴＭセルを受信して一時格納する受信セルバッファと、系切替えのための専用のＡＴＭセルである切替セルを生成する切替セル生成部と、現用系のＡＴＭスイッチ装置を予備系に、予備系のＡＴＭスイッチ装置を現用系に切替えて、現用系のＡＴＭスイッチ装置に前記受信セルバッファからのＡＴＭセルを送信する送信切替部とを有するインタフェース装置を第１ＡＴＭスイッチ装置と第２ＡＴＭスイッチ装置との上流に備え、
現用系のＡＴＭスイッチ装置からのＡＴＭセルを受信して処理する信号受信処理装置を第１ＡＴＭスイッチ装置と第２ＡＴＭスイッチ装置との下流に備え、
第１ＡＴＭスイッチ装置および第２ＡＴＭスイッチ装置と前記信号受信処理装置間をインタフェースするＵＴＯＰＩＡレベル２を備え、
第１ＡＴＭスイッチ装置と第２ＡＴＭスイッチ装置の各々は、ＡＴＭセルを格納するセルバッファを有し、このセルバッファにＡＴＭセルを書き込み、そして読み出すことでＡＴＭセルを交換し前記信号受信処理装置に出力するＡＴＭスイッチを備え、このセルバッファからＡＴＭセルを読み出すとき切替セルの到来を監視し、切替セルを検出して切替指示を前記送信切替部に送る切替セル検出部とを備え、
前記送信切替部は、系切替え直前に、前記受信セルバッファからＡＴＭセルの読み出しを中断し現用系のＡＴＭスイッチ装置に送信しているＡＴＭセルの送信を停止し、現用系のＡＴＭスイッチ装置に既に送信されたＡＴＭセルの最後に、前記切替セル生成部からの切替セルを配置して現用系のＡＴＭスイッチ装置に送信する手段を有し、
現用系のＡＴＭスイッチ装置の前記ＡＴＭスイッチは、前記送信切替部からのＡＴＭセルとこのＡＴＭセルの最後に配置されている切替セルとを、到来順番に、前記セルバッファに書き込み、交換処理をし、そして、この到来順番で、ＡＴＭセルと切替セルとを読み出し、読み出されたＡＴＭセルと切替セルを、順番を保持して、ＵＴＯＰＩＡレベル２経由で前記信号受信処理装置へ出力する手段を有し、
前記信号受信処理装置は、現用系のＡＴＭスイッチ装置からのＡＴＭセルとＡＴＭセルの最後に配置されている切替セルの到来を監視し、切替セルを検出すると、切替指示を前記送信切替手段に送る手段を有し、
前記送信切替部は、さらに、現用系のＡＴＭスイッチ装置から切替指示を受けて、現用系のＡＴＭスイッチ装置を予備系にし、予備系のＡＴＭスイッチ装置を現用系にし、前記受信セルバッファからＡＴＭセルの読み出しを再開し、このＡＴＭセルを、新たなる現用系のＡＴＭスイッチ装置に送信を開始する手段を有することを特徴とするＡＴＭスイッチ装置の無瞬断切替方式。
【請求項５】
ＡＴＭセルを入力して交換し出力する第１ＡＴＭスイッチ装置と第２ＡＴＭスイッチ装置とで２重化し、いずれかを現用系のＡＴＭスイッチ装置とし、もう一方を予備系のＡＴＭスイッチ装置として備え、
現用系のＡＴＭスイッチ装置を予備系に、予備系のＡＴＭスイッチ装置を現用系に切替えて、現用系のＡＴＭスイッチ装置にＡＴＭセルを送信する送信切替部を第１ＡＴＭスイッチ装置と第２ＡＴＭスイッチ装置との上流に備え、
現用系のＡＴＭスイッチ装置からのＡＴＭセルを受信して処理する信号受信処理装置を第１ＡＴＭスイッチ装置と第２ＡＴＭスイッチ装置との下流に備え、
前記送信切替手段は、系切替え直前に、現用系のＡＴＭスイッチ装置に送信しているＡＴＭセルの送信を停止し、現用系のＡＴＭスイッチ装置に既に送信されたＡＴＭセルの最後に、系切替えのための切替セルを配置して現用系のＡＴＭスイッチ装置に送信するステップを有し、
現用系のＡＴＭスイッチ装置は、前記送信切替手段からのＡＴＭセルを受信して交換して下流に備わる前記信号受信処理装置に送信するとともに、並行して、前記送信切替手段からのＡＴＭセルの最後に配置されている切替セルの到来を監視し、切替セルを検出すると、切替指示を前記送信切替部に送るステップを有し、前記送信切替部は、さらに、現用系のＡＴＭスイッチ装置から切替指示を受けて、現用系のＡＴＭスイッチ装置を予備系にし、予備系のＡＴＭスイッチ装置を現用系にし、新たなる現用系のＡＴＭスイッチ装置にＡＴＭセルの送信を開始するステップを有することを特徴とするＡＴＭスイッチ装置の無瞬断切替方法。
【請求項６】
ＡＴＭセルを入力して交換し出力する第１ＡＴＭスイッチ装置と第２ＡＴＭスイッチ装置とで２重化し、いずれかを現用系のＡＴＭスイッチ装置とし、もう一方を予備系のＡＴＭスイッチ装置として備え、
現用系のＡＴＭスイッチ装置を予備系に、予備系のＡＴＭスイッチ装置を現用系に切替えて、現用系のＡＴＭスイッチ装置にＡＴＭセルを送信する送信切替部を第１ＡＴＭスイッチ装置と第２ＡＴＭスイッチ装置との上流に備え、
現用系のＡＴＭスイッチ装置からのＡＴＭセルを受信して処理する信号受信処理装置を第１ＡＴＭスイッチ装置と第２ＡＴＭスイッチ装置との下流に備え、
前記送信切替部は、系切替え直前に、現用系のＡＴＭスイッチ装置に送信しているＡＴＭセルの送信を停止し、現用系のＡＴＭスイッチ装置に既に送信されたＡＴＭセルの最後に、系切替えのための切替セルを配置して現用系のＡＴＭスイッチ装置に送信するステップを有し、
現用系のＡＴＭスイッチ装置は、前記送信切替部からのＡＴＭセルとＡＴＭセルの最後に配置されている切替セルを受信して交換して下流に備わる前記信号受信処理装置に送信するステップを有し、
前記信号受信処理装置は、現用系のＡＴＭスイッチ装置からのＡＴＭセルとＡＴＭセルの最後に配置されている切替セルの到来を監視し、切替セルを検出すると、切替指示を前記送信切替部に送るステップを有し、
前記送信切替部は、さらに、前記信号受信処理装置から切替指示を受けて、現用系のＡＴＭスイッチ装置を予備系にし、予備系のＡＴＭスイッチ装置を現用系にし、新たなる現用系のＡＴＭスイッチ装置にＡＴＭセルの送信を開始するステップを有することを特徴とするＡＴＭスイッチ装置の無瞬断切替方法。
【発明の詳細な説明】
【０００１】
【発明の属する技術分野】
本発明は、２重化されたＡＴＭスイッチ装置の切替に関し、特に、ＡＴＭセルの廃棄なしで切替制御する無瞬断切替方式と方法に関する。
【０００２】
【従来の技術】
従来、通信の信頼性を向上させるために、ＡＴＭ（ＡｓｙｎｃｈｒｏｎｏｕｓＴｒａｎｓｆｅｒ　Ｍｏｄｅ）スイッチシステムは、０系ＡＴＭスイッチ装置と１系ＡＴＭスイッチ装置とで２重化に構成されている。０系ＡＴＭスイッチ装置と１系ＡＴＭスイッチ装置の内のいずれかが現用系として動作し、もう一方が予備系として動作する。現用系のＡＴＭスイッチ装置を保守するため、あるいは現用系のＡＴＭスイッチ装置の障害により、現用系のＡＴＭスイッチ装置を予備系にし、予備系のＡＴＭスイッチ装置を現用系に切替える必要がある。この切替えは、ＡＴＭセルの廃棄なく無瞬断で行われることが不可欠である。
【０００３】
このため、従来のＡＴＭスイッチシステムは、切替制御セルを用いて２重化されたＡＴＭスイッチ装置を無瞬断で切替えている（例えば、特許文献１参照）。
【０００４】
【特許文献１】
特開平１１−１６３８９１号公報（第４−９頁、図１）
【０００５】
【発明が解決しようとする課題】
特開平１１−１６３８９１号公報に開示されているＡＴＭスイッチシステムは、切替制御セルを用いて、２重化されたＡＴＭスイッチ装置内のセルバッファに蓄積されるセルの数の合わせ込み後、２重化されたＡＴＭスイッチ装置の切替えをするよう制御をしている構成であるが、更なる簡単な切替え制御動作が望まれるという課題を有する。
【０００６】
本発明の目的は、従来のこの様な課題を解決し、簡単で、しかもＡＴＭセルの廃棄なく無瞬断で、２重化ＡＴＭスイッチ装置を切替える技術を提供することにある。
【０００７】
【課題を解決するための手段】
本発明のＡＴＭスイッチ装置の無瞬断切替方式は、ＡＴＭセルを入力して交換し出力する第１ＡＴＭスイッチ装置と第２ＡＴＭスイッチ装置とで２重化し、いずれかを現用系のＡＴＭスイッチ装置とし、もう一方を予備系のＡＴＭスイッチ装置として備え、
現用系のＡＴＭスイッチ装置を予備系に、予備系のＡＴＭスイッチ装置を現用系に切替えて、現用系のＡＴＭスイッチ装置にＡＴＭセルを送信する送信切替手段を有するインタフェース装置を、第１ＡＴＭスイッチ装置と第２ＡＴＭスイッチ装置との上流に備え、
現用系のＡＴＭスイッチ装置からのＡＴＭセルを受信して処理する信号受信処理装置を第１ＡＴＭスイッチ装置と第２ＡＴＭスイッチ装置との下流に備え、
前記送信切替手段は、系切替え直前に、現用系のＡＴＭスイッチ装置に送信しているＡＴＭセルの送信を停止し、現用系のＡＴＭスイッチ装置に既に送信されたＡＴＭセルの最後に、系切替えのための切替セルを配置して現用系のＡＴＭスイッチ装置に送信する手段を有し、
現用系のＡＴＭスイッチ装置は、前記送信切替手段からのＡＴＭセルを受信して交換して下流に備わる前記信号受信処理装置に送信するとともに、並行して、前記送信切替手段からのＡＴＭセルの最後に配置されている切替セルの到来を監視し、切替セルを検出すると、切替指示を前記送信切替手段に送る手段を有し、
前記送信切替手段は、さらに、現用系のＡＴＭスイッチ装置から切替指示を受けて、現用系のＡＴＭスイッチ装置を予備系にし、予備系のＡＴＭスイッチ装置を現用系にし、新たなる現用系のＡＴＭスイッチ装置にＡＴＭセルの送信を開始する手段を有することを特徴とする。
【０００８】
また、本発明のＡＴＭスイッチ装置の無瞬断切替方式は、第１ＡＴＭスイッチ装置と第２ＡＴＭスイッチ装置とで２重化し、いずれかを現用系のＡＴＭスイッチ装置とし、もう一方を予備系のＡＴＭスイッチ装置として備え、
入力されるＡＴＭセルを受信して一時格納する受信セルバッファと、系切替えのための専用のＡＴＭセルである切替セルを生成する切替セル生成部と、現用系のＡＴＭスイッチ装置を予備系に、予備系のＡＴＭスイッチ装置を現用系に切替えて、現用系のＡＴＭスイッチ装置に前記受信セルバッファからのＡＴＭセルを送信する送信切替部とを有するインタフェース装置を第１ＡＴＭスイッチ装置と第２ＡＴＭスイッチ装置との上流に備え、
現用系のＡＴＭスイッチ装置からのＡＴＭセルを受信して処理する信号受信処理装置を第１ＡＴＭスイッチ装置と第２ＡＴＭスイッチ装置との下流に備え、
第１ＡＴＭスイッチ装置および第２ＡＴＭスイッチ装置と前記信号受信処理装置間をインタフェースするＵＴＯＰＩＡレベル２を備え、
第１ＡＴＭスイッチ装置と第２ＡＴＭスイッチ装置の各々は、ＡＴＭセルを格納するセルバッファを有し、このセルバッファにＡＴＭセルを書き込み、そして読み出すことでＡＴＭセルを交換し前記信号受信処理装置に出力するＡＴＭスイッチと、このセルバッファからＡＴＭセルを読み出すとき切替セルの到来を監視し、切替セルを検出して切替指示を前記送信切替部に送る切替セル検出部とを備え、
前記送信切替部は、系切替え直前に、前記受信セルバッファからＡＴＭセルの読み出しを中断し現用系のＡＴＭスイッチ装置に送信しているＡＴＭセルの送信を停止し、現用系のＡＴＭスイッチ装置に既に送信されたＡＴＭセルの最後に、前記切替セル生成部からの切替セルを配置して現用系のＡＴＭスイッチ装置に送信する手段を有し、
現用系のＡＴＭスイッチ装置の前記ＡＴＭスイッチは、前記送信切替部からのＡＴＭセルとこのＡＴＭセルの最後に配置されている切替セルとを、到来順番に、前記セルバッファに書き込み、交換処理をし、そして、この到来順番で、ＡＴＭセルと切替セルとを読み出し、読み出されたＡＴＭセルをＵＴＯＰＩＡレベル２経由で前記信号受信処理装置へ出力する手段を有し、現用系のＡＴＭスイッチ装置の前記切替セル検出部は、前記ＡＴＭスイッチが前記セルバッファから最後に読み出す切替セルを検出すると、切替指示を前記送信切替部に送る手段を有し、前記送信切替部は、さらに、現用系のＡＴＭスイッチ装置から切替指示を受けて、現用系のＡＴＭスイッチ装置を予備系にし、予備系のＡＴＭスイッチ装置を現用系にし、前記受信セルバッファからＡＴＭセルの読み出しを再開し、このＡＴＭセルを、新たなる現用系のＡＴＭスイッチ装置に送信を開始する手段を有することを特徴とする。
【０００９】
さらに、本発明のＡＴＭスイッチ装置の無瞬断切替方式は、ＡＴＭセルを入力して交換し出力する第１ＡＴＭスイッチ装置と第２ＡＴＭスイッチ装置とで２重化し、いずれかを現用系のＡＴＭスイッチ装置とし、もう一方を予備系のＡＴＭスイッチ装置として備え、
現用系のＡＴＭスイッチ装置を予備系に、予備系のＡＴＭスイッチ装置を現用系に切替えて、現用系のＡＴＭスイッチ装置にＡＴＭセルを送信する送信切替手段を有するインタフェース装置を、第１ＡＴＭスイッチ装置と第２ＡＴＭスイッチ装置との上流に備え、
現用系のＡＴＭスイッチ装置からのＡＴＭセルを受信して処理する信号受信処理装置を第１ＡＴＭスイッチ装置と第２ＡＴＭスイッチ装置との下流に備え、
前記送信切替手段は、系切替え直前に、現用系のＡＴＭスイッチ装置に送信しているＡＴＭセルの送信を停止し、現用系のＡＴＭスイッチ装置に既に送信されたＡＴＭセルの最後に、系切替えのための切替セルを配置して現用系のＡＴＭスイッチ装置に送信する手段を有し、
現用系のＡＴＭスイッチ装置は、前記送信切替手段からのＡＴＭセルとＡＴＭセルの最後に配置されている切替セルを受信して交換して下流に備わる前記信号受信処理装置に送信する手段を有し、
前記信号受信処理装置は、現用系のＡＴＭスイッチ装置からのＡＴＭセルとＡＴＭセルの最後に配置されている切替セルの到来を監視し、切替セルを検出すると、切替指示を前記送信切替手段に送る手段を有し、
前記送信切替手段は、さらに、前記信号受信処理装置から切替指示を受けて、現用系のＡＴＭスイッチ装置を予備系にし、予備系のＡＴＭスイッチ装置を現用系にし、新たなる現用系のＡＴＭスイッチ装置にＡＴＭセルの送信を開始する手段を有することを特徴とする。
【００１０】
また、本発明のＡＴＭスイッチ装置の無瞬断切替方式は、第１ＡＴＭスイッチ装置と第２ＡＴＭスイッチ装置とで２重化し、いずれかを現用系のＡＴＭスイッチ装置とし、もう一方を予備系のＡＴＭスイッチ装置として備え、
入力されるＡＴＭセルを受信して一時格納する受信セルバッファと、系切替えのための専用のＡＴＭセルである切替セルを生成する切替セル生成部と、現用系のＡＴＭスイッチ装置を予備系に、予備系のＡＴＭスイッチ装置を現用系に切替えて、現用系のＡＴＭスイッチ装置に前記受信セルバッファからのＡＴＭセルを送信する送信切替部とを有するインタフェース装置を第１ＡＴＭスイッチ装置と第２ＡＴＭスイッチ装置との上流に備え、
現用系のＡＴＭスイッチ装置からのＡＴＭセルを受信して処理する信号受信処理装置を第１ＡＴＭスイッチ装置と第２ＡＴＭスイッチ装置との下流に備え、
第１ＡＴＭスイッチ装置および第２ＡＴＭスイッチ装置と前記信号受信処理装置間をインタフェースするＵＴＯＰＩＡレベル２を備え、
第１ＡＴＭスイッチ装置と第２ＡＴＭスイッチ装置の各々は、ＡＴＭセルを格納するセルバッファを有し、このセルバッファにＡＴＭセルを書き込み、そして読み出すことでＡＴＭセルを交換し前記信号受信処理装置に出力するＡＴＭスイッチを備え、このセルバッファからＡＴＭセルを読み出すとき切替セルの到来を監視し、切替セルを検出して切替指示を前記送信切替部に送る切替セル検出部とを備え、
前記送信切替部は、系切替え直前に、前記受信セルバッファからＡＴＭセルの読み出しを中断し現用系のＡＴＭスイッチ装置に送信しているＡＴＭセルの送信を停止し、現用系のＡＴＭスイッチ装置に既に送信されたＡＴＭセルの最後に、前記切替セル生成部からの切替セルを配置して現用系のＡＴＭスイッチ装置に送信する手段を有し、
現用系のＡＴＭスイッチ装置の前記ＡＴＭスイッチは、前記送信切替部からのＡＴＭセルとこのＡＴＭセルの最後に配置されている切替セルとを、到来順番に、前記セルバッファに書き込み、交換処理をし、そして、この到来順番で、ＡＴＭセルと切替セルとを読み出し、読み出されたＡＴＭセルと切替セルを、順番を保持して、ＵＴＯＰＩＡレベル２経由で前記信号受信処理装置へ出力する手段を有し、
前記信号受信処理装置は、現用系のＡＴＭスイッチ装置からのＡＴＭセルとＡＴＭセルの最後に配置されている切替セルの到来を監視し、切替セルを検出すると、切替指示を前記送信切替手段に送る手段を有し、
前記送信切替部は、さらに、現用系のＡＴＭスイッチ装置から切替指示を受けて、現用系のＡＴＭスイッチ装置を予備系にし、予備系のＡＴＭスイッチ装置を現用系にし、前記受信セルバッファからＡＴＭセルの読み出しを再開し、このＡＴＭセルを、新たなる現用系のＡＴＭスイッチ装置に送信を開始する手段を有することを特徴とする。
【００１１】
さらに、本発明のＡＴＭスイッチ装置の無瞬断切替方法は、ＡＴＭセルを入力して交換し出力する第１ＡＴＭスイッチ装置と第２ＡＴＭスイッチ装置とで２重化し、いずれかを現用系のＡＴＭスイッチ装置とし、もう一方を予備系のＡＴＭスイッチ装置として備え、
現用系のＡＴＭスイッチ装置を予備系に、予備系のＡＴＭスイッチ装置を現用系に切替えて、現用系のＡＴＭスイッチ装置にＡＴＭセルを送信する送信切替部を第１ＡＴＭスイッチ装置と第２ＡＴＭスイッチ装置との上流に備え、
現用系のＡＴＭスイッチ装置からのＡＴＭセルを受信して処理する信号受信処理装置を第１ＡＴＭスイッチ装置と第２ＡＴＭスイッチ装置との下流に備え、
前記送信切替手段は、系切替え直前に、現用系のＡＴＭスイッチ装置に送信しているＡＴＭセルの送信を停止し、現用系のＡＴＭスイッチ装置に既に送信されたＡＴＭセルの最後に、系切替えのための切替セルを配置して現用系のＡＴＭスイッチ装置に送信するステップを有し、
現用系のＡＴＭスイッチ装置は、前記送信切替手段からのＡＴＭセルを受信して交換して下流に備わる前記信号受信処理装置に送信するとともに、並行して、前記送信切替手段からのＡＴＭセルの最後に配置されている切替セルの到来を監視し、切替セルを検出すると、切替指示を前記送信切替部に送るステップを有し、前記送信切替部は、さらに、現用系のＡＴＭスイッチ装置から切替指示を受けて、現用系のＡＴＭスイッチ装置を予備系にし、予備系のＡＴＭスイッチ装置を現用系にし、新たなる現用系のＡＴＭスイッチ装置にＡＴＭセルの送信を開始するステップを有することを特徴とするＡＴＭスイッチ装置の無瞬断切替方法。
【００１２】
また、本発明のＡＴＭスイッチ装置の無瞬断切替方法は、ＡＴＭセルを入力して交換し出力する第１ＡＴＭスイッチ装置と第２ＡＴＭスイッチ装置とで２重化し、いずれかを現用系のＡＴＭスイッチ装置とし、もう一方を予備系のＡＴＭスイッチ装置として備え、
現用系のＡＴＭスイッチ装置を予備系に、予備系のＡＴＭスイッチ装置を現用系に切替えて、現用系のＡＴＭスイッチ装置にＡＴＭセルを送信する送信切替部を第１ＡＴＭスイッチ装置と第２ＡＴＭスイッチ装置との上流に備え、
現用系のＡＴＭスイッチ装置からのＡＴＭセルを受信して処理する信号受信処理装置を第１ＡＴＭスイッチ装置と第２ＡＴＭスイッチ装置との下流に備え、
前記送信切替部は、系切替え直前に、現用系のＡＴＭスイッチ装置に送信しているＡＴＭセルの送信を停止し、現用系のＡＴＭスイッチ装置に既に送信されたＡＴＭセルの最後に、系切替えのための切替セルを配置して現用系のＡＴＭスイッチ装置に送信するステップを有し、
現用系のＡＴＭスイッチ装置は、前記送信切替部からのＡＴＭセルとＡＴＭセルの最後に配置されている切替セルを受信して交換して下流に備わる前記信号受信処理装置に送信するステップを有し、
前記信号受信処理装置は、現用系のＡＴＭスイッチ装置からのＡＴＭセルとＡＴＭセルの最後に配置されている切替セルの到来を監視し、切替セルを検出すると、切替指示を前記送信切替部に送るステップを有し、
前記送信切替部は、さらに、前記信号受信処理装置から切替指示を受けて、現用系のＡＴＭスイッチ装置を予備系にし、予備系のＡＴＭスイッチ装置を現用系にし、新たなる現用系のＡＴＭスイッチ装置にＡＴＭセルの送信を開始するステップを有することを特徴とする。
【００１３】
【発明の実施の形態】
次に、本発明の実施の形態について図面を参照して詳細に説明する。
【００１４】
図１は、基地局を含めた本発明のシステム構成のブロック図である。図２は、本発明の第１実施形態によるシステム構成の詳細を示す図である。
【００１５】
図１において、上位局３００と基地局１００は、ネットワーク２００により接続されて、ＡＴＭセルで通信をする。上位局３００に接続さている保守装置４００は、基地局１００の保守をするための装置である。
【００１６】
基地局１００は、インタフェース装置１０と、２重化された、０系ＡＴＭスイッチ装置２０ａと１系ＡＴＭスイッチ装置２０ｂと、複数の信号受信処理装置３０と、０系ＡＴＭスイッチ装置２０ａと１系ＡＴＭスイッチ装置２０ｂと複数の信号受信処理装置３０とをインタフェースするＵＴＯＰＩＡ（ＵｎｉｖｅｓａｌＴｅｓｔ＆Ｏｐｅｒａｔｉｏｎ　ＰＨＹ　Ｉｎｔｅｒｆａｃｅ　ｆｏｒ　ＡＴＭ）レベル２とを有する。インタフェース装置１０は、０系ＡＴＭスイッチ装置２０ａと１系ＡＴＭスイッチ装置２０ｂの上流に配置され、複数の信号受信処理装置３０は、０系ＡＴＭスイッチ装置２０ａと１系ＡＴＭスイッチ装置２０ｂの下流に配置されている。
【００１７】
インタフェース装置１０は、ネットワーク２００とインタフェースを行い、物理レイヤとフレームレイヤを終端しＡＴＭセル（以下、下りＡＴＭセルと呼ぶ）を、０系ＡＴＭスイッチ装置２０ａと１系ＡＴＭスイッチ装置２０ｂの内の、現用系のＡＴＭスイッチ装置に送信する機能を有する。
【００１８】
２重化構成の、０系ＡＴＭスイッチ装置２０ａと１系ＡＴＭスイッチ装置２０ｂの各々は、基地局１００内のバスマスタとしてインタフェース装置１０から入力される下りＡＴＭセルを、ＵＴＯＰＩＡレベル２で、信号受信処理装置３０に配信する機能を有し、いずれか一方が運用中の現用系であり、もう一方が、待機中の予備系である。
【００１９】
信号受信処理装置３０は、０系ＡＴＭスイッチ装置２０ａと１系ＡＴＭスイッチ装置２０ｂとの下流に配置され、０系ＡＴＭスイッチ装置２０ａと１系ＡＴＭスイッチ装置２０ｂとの内のいずれかの現用系のＡＴＭスイッチ装置から、ＵＴＯＰＩＡレベル２を介して、下りＡＴＭセルを受信し、信号処理をする。
【００２０】
基地局１００を構成する各部の構成を、図２を参照して、さらに詳細に説明する。
【００２１】
インタフェース装置１０は、ネットワーク終端処理部１１と、受信セルバッファ１２と、切替セル生成部１３と、下りＡＴＭセル送信切替制御部１４と、先入先出メモリ（以降、ＦＩＦＯと呼ぶ）１５ａ、１５ｂと、パラレル・シリアル変換部（以降、Ｐ／Ｓ変換部と呼ぶ）１６ａ、１６ｂとを有して構成される。
【００２２】
ネットワーク終端処理部１１は、ネットワークのプロトコルスタックにおける物理レイヤとフレームレイヤの終端をするとともに、物理レイヤとフレームレイヤより上位の上位レイヤを終端しないで、ネットワーク２００からのＡＴＭセルを、直接、受信セルバッファ１２に送る。
【００２３】
受信セルバッファ１２は、ネットワーク終端処理部１１からのＡＴＭセルを、速度調整のため、一時格納する機能を有する。また、受信セルバッファ１２は、０系ＡＴＭスイッチ装置２０ａと１系ＡＴＭスイッチ装置２０ｂとの切替直前において、インタフェース装置１０から現用系のＡＴＭスイッチ装置へのＡＴＭセルの送信が停止される時、この送信停止中に上位局３００より受信される下りＡＴＭセルを格納する機能を有する。
【００２４】
切替セル生成部１３は、０系ＡＴＭスイッチ装置２０ａと１系ＡＴＭスイッチ装置２０ｂとの切替えのための専用のＡＴＭセルである切替セルを生成する機能を有する。
【００２５】
下りＡＴＭセル送信切替制御部１４は、受信セルバッファ１２からの下りＡＴＭセルを送信する方路を切替える機能と、０系ＡＴＭスイッチ装置２０ａと１系ＡＴＭスイッチ装置２０ｂからの、いずれのＡＴＭスイッチ装置が現用系か予備系かを示す現予備情報に基づいて受信セルバッファ１２に格納されているＡＴＭセルを、装置内のバスマスタである現用系のＡＴＭスイッチ装置に送信する機能と、方路の切替え直前に、現用系のＡＴＭスイッチ装置に下りＡＴＭセルを送信するのを停止し、そして、切替セル生成部１３からの切替セルを現用系のＡＴＭスイッチ装置に送信する機能と、を有する。
【００２６】
ＦＩＦＯ１５ａ、１５ｂは、下りＡＴＭセル送信切替制御部１４から送られてくるＡＴＭセルを、速度調整のため、一時格納する。
【００２７】
Ｐ／Ｓ変換部１６ａ、１６ｂは、ＦＩＦＯ１５ａ、１５ｂから読み出されるＡＴＭセルを、パラレルデータ形式からシリアルデータ形式へ変換し、当該ＡＴＭスイッチ装置２０へ送る。これは、インタフェース装置１０とＡＴＭスイッチ装置２０間が、シリアル通信で構成されているので、パラレルデータ形式からシリアルデータ形式への変換が必要となるからである。
【００２８】
０系ＡＴＭスイッチ装置２０ａと１系ＡＴＭスイッチ装置２０ｂの各々は、制御部２６と、シリアル・パラレル変換部（以降、Ｓ／Ｐ変換部と呼ぶ）２１と、ＦＩＦＯ２２と、ＡＴＭスイッチ２３と、セルバッファ２４と、切替セル検出部２５と、出力制御部２７を有して構成される。
【００２９】
制御部２６は、ＡＴＭスイッチ装置２０を制御する機能を有する。
【００３０】
Ｓ／Ｐ変換部２１は、Ｐ／Ｓ変換部１６からのシリアルデータ形式のＡＴＭセルを、パラレルデータ形式のＡＴＭセルに変換してＦＩＦＯ２２に送る。
【００３１】
ＦＩＦＯ２２は、Ｐ／Ｓ変換部１６からのパラレルデータ形式のＡＴＭセルを格納する。
【００３２】
ＡＴＭスイッチ２３は、ＦＩＦＯ２２から下りＡＴＭセルを読み出し、自己が所有するセルバッファ２４に一時格納し、セルバッファ２４からＡＴＭセルを読み出してＡＴＭセルを交換し、このＡＴＭセルを、ＵＴＯＰＩＡ（Ｕｎｉｖｅｓａｌ　Ｔｅｓｔ＆Ｏｐｅｒａｔｉｏｎ　ＰＨＹ　Ｉｎｔｅｒｆａｃｅ　ｆｏｒ　ＡＴＭ）レベル２で、信号受信処理装置３０に送信する機能を有する。
【００３３】
切替セル検出部２５は、ＡＴＭスイッチ２３がセルバッファ２４からＡＴＭセルを読み出しする際に、インタフェース装置１０からの切替セルの到来を監視し、切替セルを検出すると、切替指示をインタフェース装置１０の下りＡＴＭセル送信切替制御部１４に送る機能を有する。
【００３４】
出力制御部２７は、制御部２６からの指示で、ＡＴＭスイッチ装置の出力インピーダンスを制御して、ＵＴＯＰＩＡレベル２を介して信号受信処理装置３０への信号の流れを制御する。すなわち、現用系のＡＴＭスイッチ装置の出力制御部２７は、ＡＴＭスイッチ装置の出力インピーダンスを低くしてＵＴＯＰＩＡレベル２を介して信号受信処理装置３０へ信号を流し、一方、予備系のＡＴＭスイッチ装置の出力制御部２７は、ＡＴＭスイッチ装置の出力インピーダンスを高くしてＵＴＯＰＩＡレベル２を介して信号受信処理装置３０へ信号を流すのを禁止する。
【００３５】
次に、本発明の実施形態の動作について図面を参照して詳細に説明する。
【００３６】
図３は、切替動作のフローチャートで、図４は、セルの流れを示す図である。
【００３７】
図３と図４を主体に、図１と図２とを併せ参照して動作を説明する。
【００３８】
０系ＡＴＭスイッチ装置２０ａが現用系として働き、１系ＡＴＭスイッチ装置２０ｂが予備系として働いて通常動作をしている。
【００３９】
通常動作においては、図４（ａ）のセルの流れ▲１▼に示されるように、インタフェース装置１０の下りＡＴＭセル送信切替制御部１４は、受信セルバッファ１２からＡＴＭセルを読み出し、このＡＴＭセルを現用系の０系ＡＴＭスイッチ装置２０ａに送信し、現用系である０系ＡＴＭスイッチ装置２０ａは、インタフェース装置１０からの下りＡＴＭセルを、ＵＴＯＰＩＡレベル２を介して、信号受信処理装置３０に送信する。
【００４０】
このとき、保守装置４００が、保守のため、現用系である０系ＡＴＭスイッチ装置２０ａを閉塞して機能を止める旨を指令する閉塞指令を基地局１００の０系ＡＴＭスイッチ装置２０ａに送る。
【００４１】
０系ＡＴＭスイッチ装置２０ａの制御部２６は、保守装置４００からの閉塞指令を受けて（ステップ７００）、ＡＴＭスイッチ装置の切替えを要求する切替要求を、インタフェース装置１０の下りＡＴＭセル送信切替制御部１４と予備系である１系ＡＴＭスイッチ装置２０ｂとに送る（ステップ７０１）とともに、切替セルの検出を開始するよう切替セル検出部２５に指示する。
【００４２】
切替セル検出部２５は、指示を受けて、切替セルの検出を開始する（ステップ７０２）。
【００４３】
インタフェース装置１０の下りＡＴＭセル送信切替制御部１４は、０系ＡＴＭスイッチ装置２０ａからの切替要求を受信すると、受信セルバッファ１２から読み出して０系ＡＴＭスイッチ装置２０ａに向けて送信している下りＡＴＭセルの送信を停止する（ステップ９００）。ここで、下りＡＴＭセル送信切替制御部１４は、送信を停止する直前までに下りＡＴＭセルＡ１、Ａ２、〜、Ａｎを順番に送信しているとする。
【００４４】
そして、下りＡＴＭセル送信切替制御部１４は、下りＡＴＭセルの送信を停止後、切替セル生成部１３から切替セルを引き取り、この切替セルを０系ＡＴＭスイッチ装置に送信する（ステップ９０１）。このとき、切替セルは、図４（ｂ）のセルの流れ▲２▼に示されるように、下りＡＴＭセルの送信を停止する前に既に送信されている下りＡＴＭセルＡ１、Ａ２、〜、Ａｎの後に配置されて送信される。
【００４５】
ＦＩＦＯ１５ａは、下りＡＴＭセル送信切替制御部１４からの下りＡＴＭセルＡ１、Ａ２、〜、Ａｎと切替セルとを、速度調整のため、これらのセルの到着順番に一時格納し、この順番で読み出してＰ／Ｓ変換部１６ａに送る。
【００４６】
Ｐ／Ｓ変換部１６ａは、ＦＩＦＯ１５ａからの下りＡＴＭセルＡ１、Ａ２、〜、Ａｎと切替セルとを順番にパラレルデータ形式からシリアルデータ形式へ変換し、シリアルデータ形式に変換された下りＡＴＭセルＡ１、Ａ２、〜、Ａｎと切替セルとを、セルの順番を保持して、現用系である０系ＡＴＭスイッチ装置２０ａへ送る。
【００４７】
現用系である０系ＡＴＭスイッチ装置２０ａのＳ／Ｐ変換部２１は、インタフェース装置１０のＰ／Ｓ変換部１６からのシリアルデータ形式の下りＡＴＭセルＡ１、Ａ２、〜、Ａｎと切替セルとを、順番に、パラレルデータ形式へ変換し、パラレルデータ形式に変換された下りＡＴＭセルＡ１、Ａ２、〜、Ａｎと切替セルとをＦＩＦＯ２２に送る。
【００４８】
ＦＩＦＯ２２は、Ｓ／Ｐ変換部２１からのパラレルデータ形式に変換された下りＡＴＭセルＡ１、Ａ２、〜、Ａｎと切替セルとを、速度調整のため、これらのセルの到着順番に一時格納する。
【００４９】
ＡＴＭスイッチ２３は、ＦＩＦＯ２２から、下りＡＴＭセルＡ１、Ａ２、〜、Ａｎと切替セルとを順番に読み出してセルバッファ２４に送る。
【００５０】
セルバッファ２４は、下りＡＴＭセルＡ１、Ａ２、〜、Ａｎと切替セルとを順番に記憶する。
【００５１】
次に、ＡＴＭスイッチ２３は、セルバッファ２４から、記憶されている下りＡＴＭセルＡ１、Ａ２、〜、Ａｎと切替セルとを、順番に、切替セル検出部２５を経由して読み出し、読み出された下りＡＴＭセルＡ１、Ａ２、〜、Ａｎを、出力インピ−ダンスが低く設定されている出力制御部２７を介し、そしてＵＴＯＰＩＡレベル２を介して、信号受信処理装置３０に送る。
【００５２】
このとき、切替セル検出部２５は、切替セルの到来を監視し、下りＡＴＭセルＡ１、Ａ２、〜、Ａｎの最後に配置されている切替セルを検出する（ステップ７０３）と、ＡＴＭスイッチ装置の切替を指示するＡＴＭ切替指示を、インタフェース装置１０の下りＡＴＭセル送信切替制御部１４と、予備系である１系ＡＴＭスイッチ装置２０ｂの制御部２６と、自己である０系ＡＴＭスイッチ装置２０ａの制御部２６に送る（ステップ７０４）。
【００５３】
図４（ｂ）のセルの流れで見てみると、切替セルが検出される時点（図４（ｂ）の切替セルの検出▲４▼）では、この切替セルに先行する下りＡＴＭセルＡ１、Ａ２、〜、Ａｎは、セルの流れ▲３▼に示されるように、既に、０系ＡＴＭスイッチ装置２０ａから、ＵＴＯＰＩＡレベル２を通り、下流に配置されている信号受信処理装置３０に入力される。すなわち、ステップ９０１でインタフェース装置１０の下りＡＴＭセル送信切替制御部１４が切替セルを送信してから、ステップ７０３で０系ＡＴＭスイッチ装置２０ａの切替セル検出部２５が切替セルを検出するまでの間（以降、滞留セル出力期間と呼ぶ）に、切替セルに先行する下りＡＴＭセルＡ１、Ａ２、〜、Ａｎは、図４（ｂ）のセルの流れ▲３▼に示されるように、０系ＡＴＭスイッチ装置２０ａから出力されて、下流に配置されている信号受信処理装置３０に入力され続ける。つまり、下りＡＴＭセル送信切替制御部１４がセルの送信を停止してから、０系ＡＴＭスイッチ装置２０ａ中に滞留している全ての下りＡＴＭセルは、この滞留セル出力期間で、０系ＡＴＭスイッチ装置２０ａから完全に出力されて、下流に配置されている信号受信処理装置３０に入力される。
【００５４】
一方、下りＡＴＭセルＡ１、Ａ２、〜、Ａｎの最後に配置されている切替セルは、図４（ｂ）の切替セルの検出▲４▼で示されるように、切替セル検出部２５で検出され、検出されたことによる切替指示▲５▼（図４（ｂ））が下りＡＴＭセル送信切替制御部１４に送られる。
【００５５】
次に、０系ＡＴＭスイッチ装置２０ａの制御部２６は、切替セル検出部２５からのＡＴＭ切替指示を受けると、出力制御部２７に、出力インピーダンスを高くするよう指令を送り、出力制御部２７は、この指令により出力インピーダンスを高くする。これにより、０系ＡＴＭスイッチ装置２０ａは、現用系から予備系に切り替わる（ステップ７０５）。そして、制御部２６は、０系ＡＴＭスイッチ装置２０ａが予備系になった旨を示す現予備情報をインタフェース装置１０の下りＡＴＭセル送信切替制御部１４に通知する。
【００５６】
一方、１系ＡＴＭスイッチ装置２０ｂの制御部２６は、０系ＡＴＭスイッチ装置２０ａの切替セル検出部２５からＡＴＭ切替指示を受けると、出力制御部２７に、出力インピーダンスを低くするよう指令を送り、出力制御部２７は、この指令により出力インピーダンスを低くする。これにより、１系ＡＴＭスイッチ装置２０ｂは、予備系から現用系に切り替わる（ステップ８００）。そして、制御部２６は、１系ＡＴＭスイッチ装置２０ｂが現用系になった旨を示す現予備情報をインタフェース装置１０の下りＡＴＭセル送信切替制御部１４に通知する。
【００５７】
インタフェース装置１０の下りＡＴＭセル送信切替制御部１４は、０系ＡＴＭスイッチ装置２０ａから、ＡＴＭ切替指示と予備系になった旨を示す現予備情報とを受け、そして、１系ＡＴＭスイッチ装置２０ｂから現用系になった旨を示す現予備情報を受けると、受信セルバッファ１２に格納されている下りＡＴＭセルを読み出し、方路を切替えて、読み出された下りＡＴＭセルを、図４（ｃ）のセルの流れ▲６▼に示されるように、現用系に切替えられた１系ＡＴＭスイッチ装置２０ｂに送信し始める（ステップ９０２）。
【００５８】
インタフェース装置１０は、下りＡＴＭセルの送信を開始する事により、切替処理を終了して通常処理（ステップ１０００）を再開する。
【００５９】
以上のように、本発明は、切替セルを送信してから、切替セルを検出するまでの間（滞留セル出力期間）に、切替え対象であるＡＴＭスイッチ装置に滞留している全ての下りＡＴＭセルを、切替え対象であるＡＴＭスイッチ装置から出力するよう構成されているので、ＡＴＭセルの廃棄なくＡＴＭスイッチ装置の切替えを可能にしている。
【００６０】
次に、第２実施形態を説明する。
【００６１】
図５は、本発明の第２実施形態によるシステム構成の詳細を示す図である。
【００６２】
第１実施形態と第２実施形態とは、切替セルを検出する切替セル検出部２５の位置が異なる以外は、同一に構成されている。
【００６３】
第２実施形態では、信号受信処理部３０が切替セル検出部２５を有する。
【００６４】
この切替セル検出部２５は、下りＡＴＭセル送信切替制御部１４が切替え直前に送信する下りＡＴＭセルＡ１、Ａ２、〜、Ａｎとこれらの下りＡＴＭセルＡ１、Ａ２、〜、Ａｎの最後に配置されている切替セルとを、現用系の０系ＡＴＭスイッチ装置２０ａを介して、受信する。そして、切替セルを検出すると、切替指示を、下りＡＴＭセル送信切替制御部１４に送る。
【００６５】
下りＡＴＭセル送信切替制御部１４は、切替セル検出部２５からの切替指示により、方路を切替え、新たなる現用系である１系ＡＴＭスイッチ装置２０ｂに、受信セルバッファ１２に格納されている下りＡＴＭセルを送信する。
【００６６】
本第２実施形態では、下りＡＴＭセル送信切替制御部１４が下りＡＴＭセルの送信を停止後切替セルを送信してから、信号受信処理部３０の切替セル検出部２５が切替セルを検出するまでの間（滞留セル出力期間）に、切替え対象であるＡＴＭスイッチ装置に滞留している全ての下りＡＴＭセルは、信号受信処理部３０に出力され、その後、ＡＴＭスイッチ装置が切替えられるので、ＡＴＭセルの廃棄なくＡＴＭスイッチ装置の切替えを可能にしている。
【００６７】
【発明の効果】
以上説明したように、本発明は、切替セルを送信してから、切替セルを検出するまで滞留セル出力期間に、切替え対象であるＡＴＭスイッチ装置に滞留している全てのＡＴＭセルを、切替え対象であるＡＴＭスイッチ装置から出力するよう構成されているので、ＡＴＭスイッチ装置の切替時間が最適化され、ＡＴＭセルの廃棄なく無瞬断で行えるという効果を得ることができる。
【００６８】
また、本発明は、切替セルに先行するＡＴＭセルがＡＴＭスイッチ装置から出力してから、ＡＴＭスイッチ装置の切替が行われるよう構成されているので、切替のための複雑な手続きが不必要になり、切替え処理が簡素化されるという効果を得ることができる。
【００６９】
さらに、本発明は、切替セルの検出によりはじめてＡＴＭスイッチ装置の切替が行われるよう構成されているので、ＡＴＭスイッチ装置を構成する構成部品が変更されても、また、ＦＩＦＯの段数を変更しても、切替セルに先行するＡＴＭセルがＡＴＭスイッチ装置から出力してからＡＴＭスイッチ装置が切替えられ、ＡＴＭセルの廃棄なく無瞬断で切替えを行えるという効果を得ることができる。
【図面の簡単な説明】
【図１】基地局を含めた本発明のシステム構成のブロック図である。
【図２】本発明の第１実施形態によるシステム構成の詳細を示す図である。
【図３】切替動作のフローチャートである。
【図４】セルの流れを示す図である。
【図５】本発明の第２実施形態によるシステム構成の詳細を示す図である。
【符号の説明】
１００　　基地局
１０　　インタフェース装置
１１　　ネットワーク終端処理部
１２　　受信セルバッファ
１３　　切替セル生成部
１４　　下りＡＴＭセル送信切替制御部
１５ａ、１５ｂ　　ＦＩＦＯ
１６ａ、１６ｂ　　Ｐ／Ｓ変換部
２０ａ　　０系ＡＴＭスイッチ装置
２０ｂ　　１系ＡＴＭスイッチ装置
２１　　Ｓ／Ｐ変換部
２２　　ＦＩＦＯ
２３　　ＡＴＭスイッチ
２４　　セルバッファ
２５　　切替セル検出部
２６　　制御部
２７　　出力制御部
３０　　信号受信処理装置
２００　　ネットワーク
３００　　上位局
４００　　保守装置
【図１】
2004120375.tif 000003
【図２】
2004120375.tif 000004
【図３】
2004120375.tif 000005
【図４】
2004120375.tif 000006
【図５】
2004120375.tif 000007